(57)【特許請求の範囲】
【請求項１】
第１長辺と、前記第１長辺に対向する第２長辺と、前記第１長辺および前記第２長辺の間で構成される第１短辺と、前記第１長辺および前記第２長辺の間で構成され前記第１短辺に対向する第２短辺とを有する平面視長方形状のマット本体、並びに、
前記第１長辺に対向する第３長辺と、前記第２長辺に対向する第４長辺と、前記第１短辺に対向する第３短辺と、前記第２短辺に対向する第４短辺とを有し、前記マット本体と略同程度の大きさに形成された平面視長方形状のマットカバーを備える保温マットであって、
前記第１長辺の中央部と前記第２短辺との間の第１縫い止め位置から少なくとも前記第１短辺における前記第２長辺の側の端部まで、前記第１長辺及び前記第３長辺、並びに前記第１短辺及び前記第３短辺をそれぞれ互いに縫い合わせて前記マット本体と前記マットカバーとを結合した結合部と、
前記マット本体の第２長辺と前記マットカバーの前記第４長辺とを開閉可能につなぎ合わせるファスナーとを備え、
前記ファスナーは、前記結合部の前記第２長辺に配置された第２縫い止め位置から前記第２短辺の側に向かって配設され、前記第２縫い止め位置の側に位置する第１スライダーと、前記第２短辺の側に位置する第２スライダーとを有するダブルジップファスナーであり、
前記第１スライダーは、前記第２短辺へ向かう第１方向への摺動により前記第２長辺と前記第４長辺との間を閉じ、前記第１方向とは反対の第２方向への摺動により前記第２長辺と前記第４長辺との間を開くようにしてあり、
前記第２スライダーは、前記ファスナーの前記第２短辺の側の端部で前記第２長辺の側と前記第４長辺の側とを分離自在に連結し、該連結した状態で前記第２方向への摺動により前記第２長辺と前記第４長辺との間を閉じ、前記第１方向への摺動により前記第２長辺と第４長辺との間を開くようにしてあり、
前記第２短辺及び前記第４短辺の間が開放され、前記結合部及び前記ファスナーにより他の辺が閉じた袋状にして、前記第２短辺及び前記第４短辺の間から身体を挿入する寝具的な使用を可能としてあり、
前記第１スライダー及び前記第２スライダーは、摺動により当該両スライダー間において前記第２長辺及び第４長辺の間を挿入した身体に応じて開閉するひざ掛け的な使用を可能としてあり、
さらに、前記第２スライダーは、前記第２長辺の側の端部及び前記第４長辺の側の端部の連結を分離して前記第２短辺及び前記第４短辺の間口を拡大可能としてある
ことを特徴とする保温マット。
【請求項２】
前記ファスナーの前記第２短辺の側の端部を前記結合部の前記第１縫い止め位置との対向位置より前記第２短辺に近い位置に配置し、
前記マットカバーの前記第３長辺と前記第４短辺とが隣接する角部を前記マット本体に止める止め具を更に備えることを特徴とする請求項１に記載の保温マット。
【請求項３】
前記マット本体は、ヒーター部を配置してなることを特徴とする請求項１又は請求項２に記載の保温マット。
【請求項４】
前記マット本体は、前記ヒーター部の温度を調節操作する制御部に接続するコードを前記第２長辺における中央部より前記第２短辺の側の位置から引き出したことを特徴とする請求項３に記載の保温マット。
【発明の詳細な説明】
【技術分野】
【０００１】
本発明は、使用時の汎用性、利便性を向上させて多種多用な使用形態・くつろぎ方に対応した保温マットに関する。
【背景技術】
【０００２】
技術の進展に伴い、現在では種々の暖房器具が提案されている。例えば、ヒーターを内蔵したマット状の加熱マット（保温マット）もその一つである。
【０００３】
従来の加熱マットは、平面状とされたマット表面から放出される熱を利用する形態とされ、使用者が身体をマット表面に置くことによって暖をとるものであった。つまり、マット表面に接した身体の部分は暖められるが、マット表面に接しない身体の部分は加熱されず、また、空気に直接接する身体部分については十分な保温状態を得ることができず、別途室内の暖房を考慮する必要があった。
【０００４】
上記の点を考慮して、例えば加熱マットの一種である電気毛布を折り重ねて一部を袋状にして下半身等の暖をとるようにしたものが提案されている（例えば、特許文献１参照。）
また、加熱マットではないが、保温状態を効果的に得る工夫を施した寝袋（例えば、特許文献２参照。）などが知られている。
【先行技術文献】
【特許文献】
【０００５】
【特許文献１】実開平６−６２８８７２号公報
【特許文献２】特許第２５７４６３３号公報
【発明の概要】
【発明が解決しようとする課題】
【０００６】
しかしながら、特許文献１、２等に開示されているものは、単に開閉（取り外し）自在な袋状としたものであって、あくまでも寝袋等の寝具としての使用形態での形状に工夫を凝らしたものに過ぎなかった。
【０００７】
本発明はこのような状況に鑑みてなされたものであり、マット構造を工夫することで、寝具的な使用、ひざ掛け的な使用など、使用形態の汎用性、利便性を向上させて多種多様な使用形態・くつろぎ方が可能となる保温マットを提供することを目的とする。
【課題を解決するための手段】
【０００８】
本発明に係る保温マットは、第１長辺と、前記第１長辺に対向する第２長辺と、前記第１長辺および前記第２長辺の間で構成される第１短辺と、前記第１長辺および前記第２長辺の間で構成され前記第１短辺に対向する第２短辺とを有する平面視長方形状のマット本体、並びに、前記第１長辺に対向する第３長辺と、前記第２長辺に対向する第４長辺と、前記第１短辺に対向する第３短辺と、前記第２短辺に対向する第４短辺とを有し、前記マット本体と略同程度の大きさに形成された平面視長方形状のマットカバーを備える保温マットであって、前記第１長辺の中央部と前記第２短辺との間の第１縫い止め位置から少なくとも前記第１短辺における前記第２長辺の側の端部まで、前記第１長辺及び前記第３長辺、並びに前記第１短辺及び前記第３短辺をそれぞれ互いに縫い合わせて前記マット本体と前記マットカバーとを結合した結合部と、前記マット本体の第２長辺と前記マットカバーの前記第４長辺とを開閉可能につなぎ合わせるファスナーとを備え、前記ファスナーは、前記結合部の前記第２長辺に配置された第２縫い止め位置から前記第２短辺の側に向かって配設され、前記第２縫い止め位置の側に位置する第１スライダーと、前記第２短辺の側に位置する第２スライダーとを有するダブルジップファスナーであり、前記第１スライダーは、前記第２短辺へ向かう第１方向への摺動により前記第２長辺と前記第４長辺との間を閉じ、前記第１方向とは反対の第２方向への摺動により前記第２長辺と前記第４長辺との間を開くようにしてあり、前記第２スライダーは、前記ファスナーの前記第２短辺の側の端部で前記第２長辺の側と前記第４長辺の側とを分離自在に連結し、該連結した状態で前記第２方向への摺動により前記第２長辺と前記第４長辺との間を閉じ、前記第１方向への摺動により前記第２長辺と第４長辺との間を開くようにしてあり、前記第２短辺及び前記第４短辺の間が開放され、前記結合部及び前記ファスナーにより他の辺が閉じた袋状にして、前記第２短辺及び前記第４短辺の間から身体を挿入する寝具的な使用を可能としてあり、前記第１スライダー及び前記第２スライダーは、摺動により当該両スライダー間において前記第２長辺及び第４長辺の間を挿入した身体に応じて開閉するひざ掛け的な使用を可能としてあり、さらに、前記第２スライダーは、前記第２長辺の側の端部及び前記第４長辺の側の端部の連結を分離して前記第２短辺及び前記第４短辺の間口を拡大可能としてあることを特徴とする。
【０００９】
また、本発明に係る保温マットでは、前記ファスナーの前記第２短辺の側の端部を前記結合部の前記第１縫い止め位置との対向位置より前記第２短辺に近い位置に配置し、前記マットカバーの前記第３長辺と前記第４短辺とが隣接する角部を前記マット本体に止める止め具を更に備えることを特徴とする。
【００１０】
また、本発明に係る保温マットでは、前記結合部は、前記第２縫い止め位置を前記第２長辺の中央部と前記第１短辺との間に設けたことを特徴とする。
【００１１】
また、本発明に係る保温マットでは、前記ファスナーは、前記第１スライダーより第２短辺側に、前記第１スライダーと異なる第２スライダーを有するダブルジップファスナーであり、前記第２スライダーは、前記第２方向への摺動により前記第２長辺と前記第４長辺との間を閉じ、前記第１方向への摺動により前記第２長辺と前記第４長辺との間を開くことを特徴とする。
【００１２】
また、本発明に係る保温マットでは、前記マット本体は、ヒーター部を配置してなることを特徴とする。
【００１３】
また、本発明に係る保温マットでは、前記マット本体は、前記ヒーター部の温度を調節操作する制御部に接続するコードを前記第２長辺における中央部より前記第２短辺の側の位置から引き出したことを特徴とする。
【００１４】
本発明に係る保温マットは、第１長辺と、前記第１長辺に対向する第２長辺と、前記第１長辺および前記第２長辺の間で構成される第１短辺と、前記第１長辺および前記第２長辺の間で構成され前記第１短辺に対向する第２短辺とを有してマット本体を構成する第１面部、並びに、前記第１長辺に対向する第３長辺と、前記第２長辺に対向する第４長辺と、前記第１短辺に対向する第３短辺と、前記第２短辺に対向する第４短辺とを有し前記第１面部に対向してマットカバーを構成する第２面部を備える保温マットであって、前記第１長辺と前記第３長辺とを互いに縫い合わせて結合した長辺結合部と、前記第２長辺と前記第４長辺とを互いに中央部から前記第１短辺および前記第２短辺の方へ開閉可能につなぎ合わせる連結部とを備えることを特徴とする。
したがって、本発明に係る保温マットは、長辺結合部で第１面部および第２面部を縫い合わせて結合し、また、長辺結合部に対向させて配置した連結部を開閉可能につなぎ合わせることから、第２長辺と第４長辺との位置関係を互いに分離した分離状態、あるいは、互いに連結した連結状態とすることができるので、使用者が第２短辺（第４短辺）の側から第１面部と第２面部との間に長さ方向に沿って身体（下半身、あるいは全身）を挿入すること、あるいは、第２長辺（第４長辺）の側から第１面部と第２面部との間に長さ方向と交差する幅方向に沿って身体（下半身）を挿入することのいずれも可能となり、単なる保温マットとして第１面部および第２面部が重畳された上に身体を置いた状態での使用形態の他に、長さ方向での全身／下半身に対する保温、あるいは、幅方向での下半身に対する保温のいずれも可能となる。つまり、本発明に係る保温マットは、寝具的な使用、ひざ掛け的な使用など、使用形態の汎用性、利便性を向上させて多種多様な使用形態・くつろぎ方を提供することができる。
また、本発明に係る保温マットでは、前記長辺結合部は、前記第１短辺の側から前記第１長辺の中央部と前記第２短辺との間の第１縫い止め位置までにわたって形成され、前記第２短辺側での前記連結部の端部は、前記第１縫い止め位置に対して前記第２短辺の側に配置され前記第２長辺と前記第４長辺とを分離できる構成とされていることを特徴とする。
したがって、本発明に係る保温マットは、第２短辺の方から身体を挿入するとき、第１縫い止め位置に対して第２長辺および第４長辺の間を広く開放して挿入の容易性を確保し、また、第２短辺から第１縫い止め位置までの間で第１長辺と第３長辺とを分離させて第２短辺の側からの身体の挿入の容易性および身体に対する第２面部の被覆性を確保することが可能となる。さらに、身体（全身）を長さ方向で挿入したときは第１縫い止め位置より第２短辺に近い位置まで連結部を連結状態にできることから身体を確実に被覆することができるので保温性を向上させることができる。
【００１５】
また、本発明に係る保温マットでは、前記第２長辺と前記第４長辺とを互いに縫い合わせて結合した補助結合部を前記第１短辺の側に備え、前記補助結合部は、前記第１短辺の側から前記第２長辺の中央部と前記第１短辺との間の第２縫い止め位置までにわたって形成されており、前記連結部は、前記補助結合部に続けて形成されていることを特徴とする。
したがって、本発明に係る保温マットは、長辺結合部および補助結合部によって第１短辺（第３短辺）の側で筒状態（疑似袋部）を構成し、疑似袋部に続けて連結部を構成することから、連結部での分離状態および連結状態を確実に維持することができる。
【００１６】
また、本発明に係る保温マットでは、前記連結部は、前記第２短辺の側の端部が相互に分離できるダブルジップファスナーで構成されていることを特徴とする。
したがって、本発明に係る保温マットは、連結部で第２長辺および第４長辺の間の分離状態、連結状態を長辺の中央部から両方の短辺（第１短辺、第２短辺）へ向けて自由に調整することができ、また、第２短辺の側の端部が相互に分離できる配置とされているので、連結部の開閉（分離状態／連結状態）の容易性および自由度を向上させることができる。
【００１７】
また、本発明に係る保温マットでは、前記第１面部は、ヒーター部と、前記ヒーター部に電力を供給するコネクタとを備え、前記コネクタは、前記第２長辺の中央部より前記第２短辺の側で前記第２長辺に沿わせて配置されていることを特徴とする。
したがって、本発明に係る保温マットは、第２長辺に沿う位置で第２短辺の側にコネクタが配置されることから、連結部へ幅方向に沿って身体を挿入したとき、あるいは、第２短辺から長さ方向に沿って身体を挿入したときのいずれの場合でも、コネクタに接続された制御部を操作性の良い位置に配置することが可能となり、利便性、制御性を向上させることができる。
【発明の効果】
【００１８】
本発明に係る保温マットは、相互に対向してマット本体を構成する第１面部およびマットカバーを構成する第２面部を備える保温マットであって、第１長辺と第３長辺とを互いに縫い合わせて結合した長辺結合部と、第２長辺と第４長辺とを互いに中央部から第１短辺および第２短辺の方へ開閉可能につなぎ合わせる連結部とを備える。
【００１９】
したがって、単なる保温マットとして第１面部および第２面部が重畳された上に体を置いた状態での使用形態の他に、長さ方向での全身／下半身に対する保温、あるいは、幅方向での下半身に対する保温のいずれも可能となる。つまり、本発明に係る保温マットは、寝具的な使用、ひざ掛け的な使用など、使用形態の汎用性、利便性を向上させて多種多様な使用形態・くつろぎ方を提供することができる。
【図面の簡単な説明】
【００２０】
【図１】本発明に係る保温マットを分解して示す分解斜視図である。
【図２】本発明に係る保温マットの状態例１を示す斜視図である。
【図３】本発明に係る保温マットの状態例２を示す斜視図である。
【図４】本発明に係る保温マットの変形例を示す平面図である。
【図５】本発明に係る保温マットを通常のマットとして使用する場合を示す斜視図である。
【図６Ａ】本発明に係る保温マットの連結部を中央部から両側へ分離開成した状態で下半身を温めるように適用して使用する場合を示す斜視図である。
【図６Ｂ】図６Ａの使用状態を使用者の背面から見た状態として示す斜視図である。
【図７】本発明に係る保温マットの第２短辺、第４短辺の側から下半身を温めるように適用して使用する場合を示す斜視図である。
【図８】本発明に係る保温マットの第２短辺、第４短辺の側から全身を温めるように適用して簡易寝具として使用する場合を示す斜視図である。
【発明を実施するための形態】
【００２１】
以下、本発明の実施の形態について図面を参照して説明する。
【００２２】
図１は、本発明に係る保温マット１を分解して示す分解斜視図である。
【００２３】
本発明に係る保温マット１は、相互に対向して配置された第１面部１ｆおよび第２面部１ｓを備える。したがって、第１面部１ｆおよび第２面部１ｓの間に人の身体を挿入できる程度の保温空間を形成することができる。また、保温マット１は、第１面部１ｆおよび第２面部１ｓに加えて、第１面部１ｆの第２長辺１２と第２面部１ｓの第４長辺１７との間に配置される連結部３５（例えば、ダブルジップファスナー）を備える。なお、連結部３５については、分離状態を明確に示すため平面図として表している。
【００２４】
第１面部１ｆはマット本体を構成し、通常は敷布として利用され、第２面部１ｓはマットカバーを構成し、通常は掛布として利用される。しかし、このような使用形態に限定されるものではない。なお、第１面部１ｆは例えばアクリル繊維で形成され、第２面部１ｓは例えば綿で形成される。第１面部１ｆの裏面には滑り止め加工を施しておくことが好ましい。
【００２５】
第１面部１ｆおよび第２面部１ｓは、矩形状（長方形状）に形成され、畳一枚程度の広さを持たせてある。具体的には、長さ方向ＤＬの長さ（寸法）が例えば１５０〜２００ｃｍ、好ましくは１７０〜１８０ｃｍ、幅方向ＤＷの幅（寸法）が例えば６０〜９０ｃｍ、好ましくは７０〜８０ｃｍ程度とされている。
【００２６】
つまり、保温マット１は、第１長辺１１と、第１長辺１１に対向する第２長辺１２と、第１長辺１１および第２長辺１２の間で構成される第１短辺１３と、第１長辺１１および第２長辺１２の間で構成され第１短辺１３に対向する第２短辺１４とを有する第１面部１ｆ、並びに、第１長辺１１に対向する第３長辺１６と、第２長辺１２に対向する第４長辺１７と、第１短辺１３に対向する第３短辺１８と、第２短辺１４に対向する第４短辺１９とを有し第１面部１ｆに対向する第２面部１ｓを備える。
【００２７】
保温マット１は、さらに、結合部（短辺結合部３１、長辺結合部３２）および連結部３５を備える。短辺結合部３１は、第１短辺１３と第３短辺１８とを結合して形成され、長辺結合部３２は、第１長辺１１と第３長辺１６とを結合して形成される。
【００２８】
なお、短辺結合部３１は、省略することができる。つまり、第１短辺１３と第３短辺１８とを結合しないで短辺結合部３１を形成しない形態とすることも可能である。この場合は、連結部３５を分離状態とし、さらに長辺結合部３２で結合された第１面部１ｆと第２面部１ｓとを広げて配置することで２倍の広さを持つマットとすることもできる。
【００２９】
なお、結合部（短辺結合部３１、長辺結合部３２）を形成する手段としては、縫い合わせとすることが好ましい。縫合することによって、容易に分離されない状態となり、安定した結合部として高い保温性を確保することができる。また、第１面部１ｆおよび第２面部１ｓそれぞれを個別部材として形成し、その後、短辺結合部３１、長辺結合部３２に対応する部分を縫合することで生産性良く製造することができる。なお、短辺結合部３１は縫い合わせによる結合によらずに、ファスナー、面ファスナー等によって、分離可能に結合するように構成しても良い。
【００３０】
上述したとおり、保温マット１は、第１長辺１１と第３長辺１６とを互いに縫い合わせて結合した長辺結合部３２と、第２長辺１２と第４長辺１７とを互いに第２長辺１２の中央部１２ｃから第１短辺１３および第２短辺１４の方へ開閉可能につなぎ合わせる連結部３５とを備える。
【００３１】
連結部３５は、第２短辺１４の側の端部（端部３８ｆ、端部３８ｓ）が相互に分離できるダブルジップファスナーで構成され、第２長辺１２の中央部１２ｃから両端（第１短辺１３、第２短辺１４）へ向けて相互の分離／連結が自由にできるように構成されている。
【００３２】
つまり、第２長辺１２には、連結部３５（ダブルジップファスナー）の第１エレメント３６ｆが配置（縫合）され、対向する第４長辺１７には、連結部３５の第２エレメント３６ｓが配置されている。第１エレメント３６ｆおよび第２エレメント３６ｓは、第１短辺１３（短辺結合部３１）の側に配置された第１スライダー３７ｆ、第２短辺１４（第４短辺１９）の側に配置された第２スライダー３７ｓで相互間の分離／連結を制御される。
【００３３】
したがって、保温マット１は、連結部３５で第２長辺１２および第４長辺１７の間の分離状態、連結状態を長辺（第２長辺１２、第４長辺１７）の中央部から両方の短辺（第１短辺１３、第２短辺１４）へ向けて自由に調整することができ、また、第２短辺１４の側の端部（端部３８ｆ、端部３８ｓ）が相互に分離できる配置とされているので、連結部３５の開閉（分離状態／連結状態）の容易性および自由度を向上させることができる。
【００３４】
なお、図１に示した保温マット１では、連結部３５は、第２長辺１２、第４長辺１７の端から端までの全体にわたって配置されている。したがって、第２長辺１２および第４長辺１７の側で、第１面部１ｆ、第２面部１ｓの分離を容易に実行することができる。また、連結部３５は、第２短辺１４の側の端部（端部３８ｆ、端部３８ｓ）で第２スライダー３７ｓが他方に対して開放（分離）されるように構成され、第２短辺１４に続く第２長辺１２と、第４短辺１９に続く第４長辺１７とを分離することができる。
【００３５】
つまり、第２長辺１２および第４長辺１７は、常に分離状態とされている第２短辺１４および第４短辺１９と同様に、第２短辺１４（第４短辺１９）の側で分離することができ、第２短辺１４と第４短辺１９との間で第１面部１ｆと第２面部１ｓが構成する間口を大きく広げることが可能となり、使用者ＨＭ（図５以下参照）の身体を容易に挿入することができる。
【００３６】
上述したとおり、連結部３５（ダブルジップファスナー）の第２短辺１４の側の端部３８ｆ（第１エレメント３６ｆ側）、端部３８ｓ（第２エレメント３６ｓ側）は、相互に分離できる構成とされている。また、端部３８ｆ（第１エレメント３６ｆ側）は第２長辺１２に縫い合わされ、端部３８ｓ（第２エレメント３６ｓ側）は第４長辺１７に縫い合わされている。したがって、端部３８ｆと端部３８ｓとを分離した状態（第２スライダー３７ｓを自由に開放した状態）では、第２長辺１２（第１面部１ｆ）と第４長辺１７（第２面部１ｓ）とは分離される。
【００３７】
つまり、端部３８ｆおよび端部３８ｓを分離した状態では、第２短辺１４（第４短辺１９）の側で第１面部１ｆと第２面部１ｓとを相互に間口を広げて分離した状態とすることができ、使用者ＨＭは、第２短辺１４の側（あるいは、第２短辺１４および第２長辺１２が交差する角部２３ｆ、角部２３ｓの側）から容易に身体を保温マット１（第１面部１ｆと第２面部１ｓとの間）へ挿入することができる。
【００３８】
また、連結部３５の第１短辺１３側の端部は、第２長辺１２の第１短辺１３側の端部まで延在させても良い。あるいは、連結部３５の第１短辺１３側の端部も分離できるダブルジップファスナーを用いるとともに、短辺結合部３１は縫い合わせによる結合によらずに、分離可能に結合するようにしても良い。この場合、連結部３５の連結を分離するとともに、短辺結合部３１の分離可能な結合を分離することにより、保温マット１を略２倍の広さに広げての使用が可能となる。
【００３９】
第１面部１ｆには、温度を調整するためにヒーター部４１、ヒーター部４１に対するコネクタ４２が内蔵されている。コネクタ４２は、第２長辺１２に隣接した位置で、第２短辺１４の側に配置されている。
【００４０】
つまり、第１面部１ｆは、ヒーター部４１と、ヒーター部４１に電力を供給するコネクタ４２とを備え、コネクタ４２は、第２長辺１２の中央部１２ｃより第２短辺１４の側で第２長辺１２に沿わせて配置されている。コネクタ４２の位置は、中央部１２ｃと第２短辺１４との中間位置より第２短辺１４の側に配置されていることが好ましい。
【００４１】
したがって、保温マット１は、第２長辺１２に沿う位置で第２短辺１４の側にコネクタ４２が配置されることから、連結部３５へ幅方向ＤＷに沿って身体を挿入したとき、あるいは、第２短辺１４から長さ方向ＤＬに沿って身体を挿入したときのいずれの場合でも、コネクタ４２に接続された制御部４３を操作性の良い位置に配置することが可能となり、利便性、制御性を向上させることができる。
【００４２】
なお、ヒーター部４１には、通常の電気カーペットなどに適用される抵抗によるヒーターを適用することができる。
【００４３】
通常の使用状態では、第１面部１ｆは、敷布的な利用がされることから、形態の安定性を保持できる程度の素材が適用されることが好ましい。第２面部１ｓは、掛布的な利用がされることから、第１面部１ｆに比較して柔軟性のある素材が適用されることが好ましい。また、第２面部１ｓは、第１面部１ｆより広くできる程度の多少の余裕を持って形成されることが好ましい。第２面部１ｓは、必要に応じて伸縮性を有する素材を適用することが可能である。
【００４４】
なお、第１面部１ｆおよび第２面部１ｓを構成する素材に同様な柔軟性を持たせて、身体に対する密着性を向上させることも可能である。
【００４５】
長辺結合部３２は、長さ方向ＤＬで第１短辺１３の側から（極端な場合は、第１短辺１３から、あるいは短辺結合部３１に連続する位置から）第１長辺１１の中央部１１ｃと第２短辺１４との間の第１縫い止め位置１１ｔまでにわたって形成され、第２短辺１４の側での連結部３５の端部（端部３８ｆ、端部３８ｓ）は、第１縫い止め位置１１ｔに対して第２短辺１４の側に配置され第２長辺１２と第４長辺１７とを分離できる構成とされていることが好ましい。長辺結合部３２の第１短辺１３の側の端部は、第１短辺１３から多少離れた位置とすることも可能である。
【００４６】
上述した構成とすることから、保温マット１は、第２短辺１４の方から使用者ＨＭの身体を挿入するとき、第１縫い止め位置１１ｔに対して第２長辺１２および第４長辺１７の間を広く開放して挿入の容易性を確保し、また、第２短辺１４から第１縫い止め位置１１ｔまでの間で第１長辺１１と第３長辺１６とを分離させて第２短辺１４の側からの身体の挿入の容易性および身体に対する第２面部１ｓの被覆性を確保することが可能となる。さらに、身体（全身）を長さ方向で挿入したときは第１縫い止め位置１１ｔより第２短辺１４に近い位置まで連結部３５を連結状態にできることから身体を確実に被覆することができるので保温性を向上させることができる。
【００４７】
なお、第１縫い止め位置１１ｔは、第２短辺１４から第１長辺１１上で約５０ｃｍ程度離れた位置に配置されている。約５０ｃｍとしたのは、使用者ＨＭの身体（下半身。脚部を含めた腰部）を容易に受入れる広さを第１面部１ｆに確保し、身体の挿入の容易性を確保するためである。
【００４８】
また、短辺結合部３１は、上述したとおり、第１短辺１３および第３短辺１８の全体（つまり、幅方向ＤＷの全体）にわたって形成することができる。
【００４９】
第１長辺１１と第２短辺１４が隣接する角部２２ｆにはスナップボタン３９ｆが配置され、第３長辺１６と第４短辺１９が隣接する角部２２ｓにはスナップボタン３９ｓが配置されている。したがって、スナップボタン３９ｆおよびスナップボタン３９ｓを分離した場合は、第２短辺１４と第４短辺１９とを大きく離すことができるので、第２短辺１４の側から第１面部１ｆと第２面部１ｓとの間への身体の出し入れを容易にすることができる。また、身体を入れた後、スナップボタン３９ｆおよびスナップボタン３９ｓを連結すれば、肩口を外気から保護することが可能となるので、保温性を向上できる。
【００５０】
図２は、本発明に係る保温マット１の状態例１を示す斜視図である。
【００５１】
図１で説明したとおり、保温マット１は、第１面部１ｆおよび第２面部１ｓで構成されている。また、短辺結合部３１では、第１短辺１３および第３短辺１８が結合され、長辺結合部３２では、第１長辺１１および第３長辺１６が結合されている。また、第２長辺１２と第４長辺１７とは、連結部３５（ダブルジップファスナー）によって連結され、第２長辺１２と第４長辺１７との相互の分離／連結を切り替えることができる。
【００５２】
状態例１では、連結部３５の中央部分を分離状態とした場合を示している。なお、第２短辺１４および第４短辺１９は、相互に分離した状態を保持されている。また、スナップボタン３９ｆおよびスナップボタン３９ｓは、第１面部１ｆおよび第２面部１ｓの連結／分離を切り替えることができる。
【００５３】
図３は、本発明に係る保温マット１の状態例２を示す斜視図である。
【００５４】
連結部３５を構成するダブルジップファスナーは、第１エレメント３６ｆの端（第２短辺１４の側）で第２スライダー３７ｓが開放状態とされている。この状態では、第２短辺１４に対して第４短辺１９は、広く開けられ（広く分離され）、また、第２短辺１４の側で第２長辺１２に対して第４長辺１７も広く開ける（広く分離する）ことができる。したがって、第２短辺１４の側から、長さ方向ＤＬに沿わせて全身を保温マット１へ容易に挿入することができる。
【００５５】
以上、図１ないし図３で示したとおり、保温マット１は、次のような作用効果を有する。
【００５６】
保温マット１は、長辺結合部３２で第１面部１ｆおよび第２面部１ｓを縫い合わせて結合し、また、長辺結合部３２に対向させて配置した連結部３５を開閉可能につなぎ合わせることから、第２長辺１２と第４長辺１７との位置関係を互いに分離した分離状態、あるいは、互いに連結した連結状態とすることができるので、使用者ＨＭ（図５以下参照）が第２短辺１４（第４短辺１９）の側から第１面部１ｆと第２面部１ｓとの間に長さ方向ＤＬに沿って身体（下半身、あるいは全身）を挿入すること、あるいは、第２長辺１２（第４長辺１７）の側から第１面部１ｆと第２面部１ｓとの間に長さ方向ＤＬと交差する幅方向ＤＷに沿って身体（下半身）を挿入することのいずれも可能となる。
【００５７】
すなわち、単なる保温マット１として第１面部１ｆおよび第２面部１ｓが重畳された上に身体を置いた状態での使用形態の他に、長さ方向ＤＬでの全身／下半身に対する保温、あるいは、幅方向ＤＷでの下半身に対する保温のいずれも可能となる。つまり、保温マット１は、寝具的な使用、ひざ掛け的な使用など、使用形態の汎用性、利便性を向上させて多種多様な使用形態・くつろぎ方を提供することができる。
【００５８】
図４は、本発明に係る保温マット１の変形例を示す平面図である。
【００５９】
図４の保温マット１は、図１に示した保温マット１と基本構造は同様であるので、符号をそのまま援用して主に異なる事項について説明する。
【００６０】
図４に示す保温マット１は、図１に示した保温マット１の結合部（短辺結合部３１、長辺結合部３２）に対して追加の結合部（補助結合部３３）を設けたものである。補助結合部３３は、第２長辺１２および第４長辺１７に対して短辺結合部３１に続けた形態で形成されている。なお、短辺結合部３１が形成されていない場合は、補助結合部３３は、第１短辺１３および第３短辺１８に続けて第２長辺１２および第４長辺１７を縫い合わせて形成される。
【００６１】
補助結合部３３が第２長辺１２および第２短辺１４に対して形成されたことから、連結部３５の配置も変更（短縮）された状態となっている。つまり、連結部３５の配置（長さ）が変更され、ダブルジップファスナーの長さが短くされている。
【００６２】
上述したとおり、図４に示した保温マット１では、第２長辺１２と第４長辺１７とを互いに縫い合わせて結合した補助結合部３３を第１短辺１３の側に備え、補助結合部３３は、第１短辺１３の側から（極端な場合は、第１短辺１３から、あるいは、短辺結合部３１に連続する位置から）第２長辺１２の中央部１２ｃと第１短辺１３との間の第２縫い止め位置１２ｔまでにわたって形成されており、連結部３５は、補助結合部３３に続けて形成されている。つまり、連結部３５の第１短辺１３の側の端部は、第２長辺１２と第４長辺１７とを結合した補助結合部３３に合体され連結状態を確保している。
【００６３】
保温マット１は、長辺結合部３２および補助結合部３３によって第１短辺１３（第３短辺１８）の側で筒状態（疑似袋部）を構成し、疑似袋部に続けて連結部３５を構成することから、連結部３５での分離状態および連結状態を確実（強固）に維持することができる。
【００６４】
なお、第２縫い止め位置１２ｔは、第１短辺１３から第２長辺１２の中央部１２ｃと第１短辺１３との間の適宜の位置に確保される。つまり、第１短辺１３の側に補助結合部３３を配置して第２縫い止め位置１２ｔを確保することによって連結部３５の連結状態および分離状態を安定して実現することができる。補助結合部３３の第１短辺１３の側の端部は、第１短辺１３から多少離れた位置とすることも可能である。
【００６５】
また、第２スライダー３７ｓは、図１の場合と同様に第２短辺１４（第４短辺１９）の側の端部３８ｆ（図１参照）、端部３８ｓ（図１参照）で開放される構成とされている。
【００６６】
第２長辺１２および第４長辺１７は、常に分離状態とされている第２短辺１４および第４短辺１９と同様に、第２短辺１４（第４短辺１９）の側で分離することができ、第２短辺１４と第４短辺１９との間で第１面部１ｆと第２面部１ｓが構成する間口を大きく広げることが可能となり、使用者ＨＭ（図５以下参照）の身体を容易に挿入することができる。
【００６７】
以下、図５ないし図８を参照して、保温マット１（図１ないし図４）の使用状態について説明する。
【００６８】
図５は、本発明に係る保温マット１を通常のマットとして使用する場合を示す斜視図である。
【００６９】
使用者ＨＭは、第１面部１ｆ、第２面部１ｓがそのまま重畳された状態で保温マット１を使用することができる。
【００７０】
図６Ａは、本発明に係る保温マット１の連結部３５を中央部１２ｃから両側へ分離開成した状態で下半身を温めるように適用して使用する場合を示す斜視図である。図６Ｂは、図６Ａの使用状態を使用者ＨＭの背面から見た状態として示す斜視図である。
【００７１】
連結部３５を分離開放して、下半身を第１面部１ｆおよび第２面部１ｓの間に挿入して保温マット１を使用することが可能となる。上述したとおり、制御部４３を手元に配置することができる。身体を挿入するときは、連結部３５を十分に開放して容易に身体を挿入し、身体を挿入した後は、連結部３５を必要な位置まで結合することが可能であるから、十分な保温を確保することができる。
【００７２】
図７は、本発明に係る保温マット１の第２短辺１４、第４短辺１９の側から下半身を温めるように適用して使用する場合を示す斜視図である。
【００７３】
第２短辺１４、第４短辺１９に加えて、第２長辺１２および第４長辺１７を第２短辺１４の側で分離して使用することができるので、使用者ＨＭは、下半身をゆったりと保温マット１（第１面部１ｆおよび第２面部１ｓの間）に挿入することができる。また、第２短辺１４から第１縫い止め位置１１ｔまでの間隔（位置）として約５０ｃｍを確保していることから、下半身を十分に挿入することができる。また、第２短辺１４に対して第４短辺１９を分離し、また、第２短辺１４の側で第２長辺１２に対して第４長辺１７を分離することが可能であり、第２面部１ｓをひざ掛けとして利用することができる。
【００７４】
図８は、本発明に係る保温マット１の第２短辺１４、第４短辺１９の側から全身を温めるように適用して簡易寝具として使用する場合を示す斜視図である。
【００７５】
使用者ＨＭは、第２短辺１４から第１縫い止め位置１１ｔまでの間隔（位置）として約５０ｃｍを確保していることから、スナップボタン３９ｆ、３９ｓを外して第２短辺１４および第４短辺１９を分離した状態とするだけで（第２長辺１２および第４長辺１７を分離しない状態でも）全身を保温マット１に容易に挿入することができるので、全身に対する確実な保温が可能となり、簡易寝具的な使用が可能となる。長辺結合部３２に加えて連結部３５によって全身の周囲（全身の側部）を袋状に囲むことができ、また、第２短辺１４、第４短辺１９から外部に面する肩口は、連結部３５を連結状態とし、スナップボタン３９ｆ、３９ｓを止めることによって囲うので確実な保温状態を確保することができる。
【符号の説明】
【００７６】
１  保温マット
１ｆ  第１面部（マット本体）
１ｓ  第２面部（マットカバー）
１１  第１長辺
１１ｃ  中央部
１１ｔ  第１縫い止め位置
１２  第２長辺
１２ｃ  中央部
１２ｔ  第２縫い止め位置
１３  第１短辺
１４  第２短辺
１６  第３長辺
１７  第４長辺
１８  第３短辺
１９  第４短辺
２２ｆ  角部
２２ｓ  角部
３１  短辺結合部
３２  長辺結合部
３３  補助結合部
３５  連結部（ダブルジップファスナー）
３６ｆ  第１エレメント
３６ｓ  第２エレメント
３７ｆ  第１スライダー
３７ｓ  第２スライダー
３８ｆ  端部
３８ｓ  端部
３９ｆ  スナップボタン
３９ｓ  スナップボタン
４１  ヒーター部
４２  コネクタ
４３  制御部
ＤＬ  長さ方向
ＤＷ  幅方向
ＨＭ  使用者
【図１】
0005847997.tif 000002
【図２】
0005847997.tif 000003
【図３】
0005847997.tif 000004
【図４】
0005847997.tif 000005
【図５】
0005847997.tif 000006
【図６Ａ】
0005847997.tif 000007
【図６Ｂ】
0005847997.tif 000008
【図７】
0005847997.tif 000009
【図８】
0005847997.tif 000010